(57)【要約】【課題】靴等の商品の陳列に好適な陳列用什器を提案する。【解決手段】壁面に多数の溝が形成された陳列用什器本体の溝に係止されて物品を陳列する陳列用什器であって、陳列用什器本体に係止される係止部とこの係止部に回動可能に設けられた回動部とこの回動部から前方に延設された棚部からなり、この棚部が陳列用什器本体の壁面と平行に回動されるようになされたもので、商品の陳列角度が自由に設定できるので、スニーカーなどの商品を展示するとき、爪先や踵等の商品の特徴とする部分を強調して配設することが出来るし、爪先上がりと爪先下がりを交互に配設することにより、恰もスニーカーが歩行状態にあるような展示をすることが出来る。【選択図】        図１
2004215815.tif 000002
【特許請求の範囲】
【請求項１】
壁面に多数の溝が形成された陳列用什器本体の溝に係止されて物品を陳列する陳列用什器であって、陳列用什器本体に係止される係止部とこの係止部に回動可能に設けられた回動部とこの回動部から前方に延設された棚部からなり、この棚部が陳列用什器本体の壁面と平行に回動されるようになされたことを特徴とする陳列用什器。
【請求項２】
係止部には回動孔又は回動軸が設けられ回動部には前記回動孔又は回動軸に対応する回動軸又は回動孔が設けられ、係止部及び回動部の回動軸又は回動孔を中心とする円周上に夫々回動を規制する規制部が設けられたことを特徴とする請求項１記載の陳列用什器。
【発明の詳細な説明】
【０００１】
【発明の属する技術分野】
本発明は、壁面を利用して商品などを陳列する陳列用什器に関し、特に靴などを陳列するのに好適な陳列用什器に関する。
【０００２】
【従来の技術】
【特許文献１】特開平７−２２２６５７号公報
従来、壁面を利用して靴などの商品を効果的に陳列することが出来る商品陳列構造が特開平７−２２２６５７号公報に提案されている。この陳列構造は、立設された壁面の縦一列に適宜の間隔でｍ個並んだ係合用穴の列が、壁面横方向に等間隔でｎ列並ぶよう形成され、上記係合用穴の全部もしくは大部分に、商品保持用の棒状体が、壁面に対し略垂直に突出するよう係合され、上記係合された少なくとも２本の棒状体突出部を利用して商品が係止された状態で陳列されているもので、この商品陳列構造によれば、各商品が棚板で仕切られた空間に収納されるのではなく、壁面から突出する棒状体に直接係止されるだけなので、上方からの照明が棚板で遮られることがなく、各商品が非常に明るく照らされることとなる。したがって、各商品が明るく、しかも陰影がくっきりするため、商品が非常に立体的に見え、顧客へのアピール力が強いという利点を有する。また、商品を棒状体に係止させる際に、隣合う２本の棒状体の上に載せたり、左右方向から２本の棒状体で挟持させたり、適宜の３本の棒状体の間にはめ込んだりして、その商品の向きを自由に選択することができる、という利点を有する。
【０００３】
【発明が解決しようとする課題】
しかしながら上記の如き特開平７−２２２６５７号公報に提案されている商品陳列構造に於いては、靴を傾斜させて陳列するには、３本の棒状体の間にはめて陳列せねばならず、自由な角度に傾斜させることが出来ないという問題があった。
【０００４】
そこで本発明者は従来の欠点に鑑み鋭意研究の結果、靴等の商品の陳列に好適な陳列用什器を提案するものである。
【０００５】
【課題を解決するための手段】
本発明請求項１記載の陳列用什器は、壁面に多数の溝が形成された陳列用什器本体の溝に係止されて物品を陳列する陳列用什器であって、陳列用什器本体に係止される係止部とこの係止部に回動可能に設けられた回動部とこの回動部から前方に延設された棚部からなり、この棚部が陳列用什器本体の壁面と平行に回動されるようになされたもので、商品の陳列角度が自由に設定できる。
【０００６】
本発明請求項２記載の陳列用什器は、係止部には回動孔又は回動軸が設けられ回動部には前記回動孔又は回動軸に対応する回動軸又は回動孔が設けられ、係止部及び回動部の回動軸又は回動孔を中心とする円周上に夫々回動を規制する規制部が設けられたもので、棚部の角度が任意の位置で確実に規制される。
【０００７】
【発明の実施の形態】
以下、図面を参照しながら本発明に付いて説明する。
図１は本発明陳列用什器の実施形態の一例を示す（イ）は正面図であり、（ロ）は側面図である。図に於いて、１は棚部であり、この棚部１の基部には回動部２が設けられている。回動部２の中央には透孔が穿設されて回動孔２１となされている。この回動孔２１の中心と同心の円周上に等間隔に６個の孔が穿設されて規制部２２となされている。回動部２の背面には前記回動孔２１と同径の透孔が穿設された係止部３が回動孔２１に挿通されたボルト３３により回動部２と固着されている。
【０００８】
棚部１は鋼線を折曲して作製されており、鋼線が前方に延設された延設部１１に靴などが載せられるようになっている。棚部１は基部が回転部に溶接などの手段で固着され、その後鍍金などの表面処理が適宜施されている。
【０００９】
回動部は中央に回動孔２１が穿設され、この回動孔２１の中心と同心の円周上に等間隔に６個の孔が穿設されて規制部２２となされている。係止部３はその上部に陳列用什器本体の溝に係止されるように係止片３１が形成され、係止片３１の下部に延設された正面壁に前記回動部に形成された回動孔２１に同軸にボルト３３が植設され、このボルト３３の中心軸と同心の円周上に前記規制部２２に対応する位置に規制凸部３２が設けられている。規制凸部３２は回動部に設けられた規制部２２と同数設けられてもよいが、規制部２２の間隔に対応する適宜複数個でもよいし、１個でもよい。
【００１０】
図２及び図３は本発明陳列用什器の使用状態の例を示すもので、図２に於いては各陳列用什器は、棚部１が何れも水平となるように設けられている。図３に於いては各陳列用什器の棚部１は夫々傾斜するように設けられている。図２のように棚部１が設けられれば、商品が整然と陳列されるし、図３のように陳列用什器の棚部１が傾斜されれば、スニーカーなどの爪先や踵等商品の特徴のある部分を強調して配設することが出来る。又、スニーカーを爪先上がり、爪先下がりと順次配設することにより躍動感を持った展示をすることが出来る。
【００１１】
【発明の効果】
上述の如く、本発明請求項１記載の陳列用什器は、壁面に多数の溝が形成された陳列用什器本体の溝に係止されて物品を陳列する陳列用什器であって、陳列用什器本体に係止される係止部とこの係止部に回動可能に設けられた回動部とこの回動部から前方に延設された棚部からなり、この棚部が陳列用什器本体の壁面と平行に回動されるようになされたもので、商品の陳列角度が自由に設定できるので、スニーカーなどの商品を展示するとき、爪先や踵等の商品の特徴とする部分を強調して配設することが出来るし、爪先上がりと爪先下がりを交互に配設することにより、恰もスニーカーが歩行状態にあるような展示をすることが出来る。
【００１２】
又、本発明請求項２記載の陳列用什器は、係止部には回動孔又は回動軸が設けられ回動部には前記回動孔又は回動軸に対応する回動軸又は回動孔が設けられ、係止部及び回動部の回動軸又は回動孔を中心とする円周上に夫々回動を規制する規制部が設けられたもので、棚部の角度が任意の位置で確実に規制されるので、陳列した商品が確実に保持されるとともに商品の取り外しも容易である。
【図面の簡単な説明】
【図１】本発明陳列用什器の実施形態の一例を示す（イ）は正面図であり、（ロ）は側面図である。
【図２】本発明陳列用什器の使用状態の例を示す斜視図である。
【図３】本発明陳列用什器の使用状態の例を示す斜視図である。
【符号の説明】
１    棚部
１１  延設部
２    回動部
２１  回動孔
２２  規制部
３    係止部
３１  係止片
３２  規制凸部
３３  ボルト
【図１】
2004215815.tif 000003
【図２】
2004215815.tif 000004
【図３】
2004215815.tif 000005